(57)【要約】  光学的に異種の記録媒体を互換できる光ピックアップ及びこの互換型光ピックアップを具備する光記録及び／または再生機器で、互換型光ピックアップは、高密度情報記録媒体に適した短波長光を出射する短波長光源と、低密度情報記録媒体に適した長波長光を出射する低密度用光学系と、短波長光源や低密度用光学系から入射された光を情報記録媒体にフォーカシングする対物レンズと、再生信号及びフォーカスエラー信号を検出するように情報記録媒体から反射された短波長光及び長波長光を受光する単一光検出器と、情報記録媒体から反射された短波長光及び長波長光が単一光検出器に適正サイズの光スポットとして受光されるようにする検出レンズと、対物レンズと単一光検出器との間の情報記録媒体から反射された光の経路上に位置した第１コリメーティングレンズと、単一光検出器に向かう光の波長によって、第１コリメーティングレンズの位置を光軸に沿って調整し、波長による色収差によって発生するフォーカスエラー信号オフセットを減少させる駆動装置とを含む。
2010519671.tif 000002
【特許請求の範囲】
【請求項１】
高密度情報記録媒体に適した短波長光を出射する短波長光源と、
低密度情報記録媒体に適した長波長光を出射する低密度用光学系と、
前記短波長光源や低密度用光学系から入射された光を情報記録媒体にフォーカシングする対物レンズと、
再生信号及びフォーカスエラー信号を検出するように情報記録媒体から反射された短波長光及び長波長光を受光する単一光検出器と、
前記情報記録媒体から反射された短波長光及び長波長光が前記単一光検出器に適正サイズの光スポットとして受光されるようにする検出レンズと、
前記対物レンズと前記単一光検出器との間の前記情報記録媒体から反射された光の経路上に位置した第１コリメーティングレンズと、
前記単一光検出器に向かう光の波長によって、前記第１コリメーティングレンズの位置を光軸に沿って調整し、波長による色収差によって発生するフォーカスエラー信号オフセットを減少させる駆動装置とを含む光ピックアップ。
【請求項２】
前記低密度用光学系は、
厚さが互いに異なる第１低密度情報記録媒体及び第２低密度情報記録媒体に適した第１長波長光及び第２長波長光をそれぞれ出射する第１長波長光源及び第２長波長光源と、
前記第１長波長光源及び第２長波光長光源から出射された第１長波長光及び第２長波長光の光路を統合する光路結合器とを含むことを特徴とする請求項１に記載の光ピックアップ。
【請求項３】
前記高密度情報記録媒体は、ＢＤ規格を満足する情報記録媒体及びＨＤ  ＤＶＤ規格を満足する情報記録媒体のうち、少なくともいずれか一つであり、
前記第１低密度情報記録媒体及び第２低密度情報記録媒体は、ＤＶＤ規格を満足する情報記録媒体及びＣＤ規格を満足する情報記録媒体であり、
前記短波長光は、青色光であり、前記第１長波長光及び第２長波長光は、赤色光及び赤外線光であることを特徴とする請求項２に記載の光ピックアップ。
【請求項４】
前記短波長光源と対物レンズとの間の光路上に、短波長光を０次及び一次で回折させ、０次回折光は、ＢＤ規格を満足する情報記録媒体に光スポットとして結ばれ、一次回折光は、ＨＤ  ＤＶＤ規格を満足する情報記録媒体に光スポットとして結ばれるようにするホログラム素子をさらに具備することを特徴とする請求項１に記載の光ピックアップ。
【請求項５】
前記ホログラム素子は、前記短波長光は、０次及び一次で回折させ、前記長波長光は、直進透過させるように波長選択性を有することを特徴とする請求項４に記載の光ピックアップ。
【請求項６】
前記低密度用光学系と対物レンズとの間の光路上に、前記第１低密度情報記録媒体及び第２低密度情報記録媒体の適用時の球面収差補正のための補正素子をさらに具備することを特徴とする請求項４に記載の光ピックアップ。
【請求項７】
前記補正素子は、第１低密度情報記録媒体及び第２低密度情報記録媒体の適用時、前記第１長波長光及び第２長波長光それぞれに対して適した球面収差補正がなされるように波長選択性を有することを特徴とする請求項６に記載の光ピックアップ。
【請求項８】
前記低密度用光学系と対物レンズとの間の光路上に、前記第１低密度情報記録媒体及び第２低密度情報記録媒体の適用時の球面収差補正のための補正素子をさらに具備することを特徴とする請求項３に記載の光ピックアップ。
【請求項９】
前記補正素子は、第１低密度情報記録媒体及び第２低密度情報記録媒体の適用時、前記第１長波長光及び第２長波長光それぞれに対して適した球面収差補正がなされるように波長選択性を有することを特徴とする請求項８に記載の光ピックアップ。
【請求項１０】
前記高密度情報記録媒体は、ＢＤ規格を満足する情報記録媒体、及びＨＤ  ＤＶＤ規格を満足する情報記録媒体のうち、少なくともいずれか一つであり、
前記低密度用光学系は、
ＤＶＤ規格及びＣＤ規格のうちいずれか一つに適した長波長光を出射する長波長光源を具備することを特徴とする請求項１に記載の光ピックアップ。
【請求項１１】
前記短波長光源と対物レンズとの間の光路上に、短波長光を０次及び一次で回折させ、０次回折光は、ＢＤ規格を満足する情報記録媒体に光スポットとして結ばれ、一次回折光は、ＨＤ  ＤＶＤ規格を満足する情報記録媒体に光スポットとして結ばれるようにするホログラム素子をさらに具備することを特徴とする請求項１０に記載の光ピックアップ。
【請求項１２】
前記ホログラム素子は、前記短波長光は、０次及び一次で回折させ、前記長波長光は、直進透過させるように波長選択性を有することを特徴とする請求項１１に記載の光ピックアップ。
【請求項１３】
前記短波長光源及び低密度用光学系から出射された光の進路を変換するための第１光路変換器と、
前記短波長光源から出射された短波長光は、前記第１光路変換器側に進め、情報記録媒体から反射された短波長光及び長波長光は、前記単一光検出器側に進める第２光路変換器とをさらに具備することを特徴とする請求項１に記載の光ピックアップ。
【請求項１４】
前記第１光路変換器と対物レンズとの間の光路上に、入射される光の偏光を変換させる波長板をさらに具備し、
前記第１光路変換器は、前記長波長光は、偏光によって透過または反射させ、前記第２光路変換器側から前記対物レンズ側に進む短波長光が情報記録媒体から反射された後、前記第１光路変換器と前記対物レンズとの間で同一光路に進める三色性プリズムを具備し、
前記第２光路変換器は、前記短波長光は、偏光によって透過または反射させ、前記長波長光は、前記単一光検出器に向ける三色性プリズムを具備することを特徴とする請求項１３に記載の光ピックアップ。
【請求項１５】
前記第１光路変換器は、前記長波長光は、所定割合で透過及び反射させ、前記第２光路変換器側から前記対物レンズ側に進む短波長光を情報記録媒体から反射された後に同一光路に進める三色性プリズムを具備し、
前記第２光路変換器は、前記短波長光は、所定割合で透過及び反射させ、前記長波長光は、前記単一光検出器に向ける三色性プリズムを具備することを特徴とする請求項１３に記載の光ピックアップ。
【請求項１６】
情報記録媒体の半径方向に移動可能に設けられ、情報記録媒体に記録された情報を再生したり情報を記録する光ピックアップ及びこの光ピックアップを制御するための制御部を含み、高密度情報記録媒体に適した短波長光を出射する短波長光源と、
低密度情報記録媒体に適した長波長光を出射する低密度用光学系と、
前記短波長光源や低密度用光学系から入射された光を情報記録媒体にフォーカシングする対物レンズと、
再生信号及びフォーカスエラー信号を検出するように情報記録媒体から反射された短波長光及び長波長光を受光する単一光検出器と、
前記情報記録媒体から反射された短波長光及び長波長光が前記単一光検出器に適正サイズの光スポットとして受光されるようにする検出レンズと、
前記対物レンズと前記単一光検出器との間の前記情報記録媒体から反射された光の経路上に位置した第１コリメーティングレンズと、
前記単一光検出器に向かう光の波長によって、前記第１コリメーティングレンズの位置を光軸に沿って調整し、波長による色収差によって発生するフォーカスエラー信号オフセットを減少させる駆動装置とを含む光情報記録媒体システム。
【請求項１７】
前記低密度用光学系は、
厚さが互いに異なる第１低密度情報記録媒体及び第２低密度情報記録媒体に適した第１長波長光及び第２長波長光をそれぞれ出射する第１長波長光源及び第２長波長光源と、
前記第１長波長光源及び第２長波光長光源から出射された第１長波長光及び第２長波長光の光路を統合する光路結合器とを含むことを特徴とする請求項１６に記載の光情報記録媒体システム。
【請求項１８】
前記高密度情報記録媒体は、ＢＤ規格を満足する情報記録媒体及びＨＤ  ＤＶＤ規格を満足する情報記録媒体のうち、少なくともいずれか一つであり、
前記第１低密度情報記録媒体及び第２低密度情報記録媒体は、ＤＶＤ規格を満足する情報記録媒体及びＣＤ規格を満足する情報記録媒体であり、
前記短波長光は、青色光であり、前記第１長波長光及び第２長波長光は、赤色光及び赤外線光であることを特徴とする請求項１７に記載の光情報記録媒体システム。
【請求項１９】
前記短波長光源と対物レンズとの間の光路上に、短波長光を０次及び一次で回折させ、０次回折光は、ＢＤ規格を満足する情報記録媒体に光スポットとして結ばれ、一次回折光は、ＨＤ  ＤＶＤ規格を満足する情報記録媒体に光スポットとして結ばれるようにするホログラム素子をさらに具備することを特徴とする請求項１８に記載の光情報記録媒体システム。
【請求項２０】
前記ホログラム素子は、前記短波長光は、０次及び一次で回折させ、前記長波長光は、直進透過させるように波長選択性を有することを特徴とする請求項１９に記載の光情報記録媒体システム。
【請求項２１】
前記低密度用光学系と対物レンズとの間の光路上に、前記第１低密度情報記録媒体及び第２低密度情報記録媒体の適用時の球面収差補正のための補正素子をさらに具備することを特徴とする請求項１９に記載の光情報記録媒体システム。
【請求項２２】
前記補正素子は、第１低密度情報記録媒体及び第２低密度情報記録媒体の適用時、前記第１長波長光及び第２長波長光それぞれに対して適した球面収差補正がなされるように波長選択性を有することを特徴とする請求項２１に記載の光情報記録媒体システム。
【請求項２３】
前記低密度用光学系と対物レンズとの間の光路上に、前記第１低密度情報記録媒体及び第２低密度情報記録媒体の適用時の球面収差補正のための補正素子をさらに具備することを特徴とする請求項１８に記載の光情報記録媒体システム。
【請求項２４】
前記補正素子は、第１低密度情報記録媒体及び第２低密度情報記録媒体の適用時、前記第１長波長光及び第２長波長光それぞれに対して適した球面収差補正がなされるように波長選択性を有することを特徴とする請求項２３に記載の光情報記録媒体システム。
【請求項２５】
前記高密度情報記録媒体は、ＢＤ規格を満足する情報記録媒体、及びＨＤ  ＤＶＤ規格を満足する情報記録媒体のうち、少なくともいずれか一つであり、
前記低密度用光学系は、
ＤＶＤ規格及びＣＤ規格のうち、いずれか一つに適した長波長光を出射する長波長光源を具備する請求項１６に記載の光情報記録媒体システム。
【請求項２６】
前記高密度情報記録媒体は、ＢＤ規格を満足する情報記録媒体、及びＨＤ  ＤＶＤ規格を満足する情報記録媒体を含み、
前記短波長光源と対物レンズとの間の光路上に、短波長光を０次及び一次で回折させ、０次回折光は、ＢＤ規格を満足する情報記録媒体に光スポットとして結ばれ、一次回折光は、ＨＤ  ＤＶＤ規格を満足する情報記録媒体に光スポットとして結ばれるようにするホログラム素子をさらに具備することを特徴とする請求項２５に記載の光情報記録媒体システム。
【請求項２７】
前記ホログラム素子は、前記短波長光は、０次及び一次で回折させ、前記長波長光は、直進透過させるように波長選択性を有することを特徴とする請求項２６に記載の光情報記録媒体システム。
【請求項２８】
前記短波長光源及び低密度用光学系から出射された光の進路を変換するための第１光路変換器と、
前記短波長光源から出射された短波長光は、前記第１光路変換器側に進め、情報記録媒体から反射された短波長光及び長波長光は、前記単一光検出器側に進める第２光路変換器とをさらに具備することを特徴とする請求項１６に記載の光情報記録媒体システム。
【請求項２９】
前記第１光路変換器と対物レンズとの間の光路上に入射される光の偏光を変換させる波長板をさらに具備し、
前記第１光路変換器は、前記長波長光は、偏光によって透過または反射させ、前記第２光路変換器側から前記対物レンズ側に進む短波長光を情報記録媒体から反射させた後に同一光路に進める三色性プリズムを具備し、
前記第２光路変換器は、前記短波長光は、偏光によって透過または反射させ、前記長波長光は、前記単一光検出器に向ける三色性プリズムを具備することを特徴とする請求項２８に記載の光情報記録媒体システム。
【請求項３０】
前記第１光路変換器は、前記長波長光は、所定割合で透過及び反射させ、前記第２光路変換器側から前記対物レンズ側に進む短波長光を情報記録媒体から反射された後に同一光路に進める三色性プリズムを具備し、
前記第２光路変換器は、前記短波長光は、所定割合で透過及び反射させ、前記長波長光は、前記単一光検出器に向ける三色性プリズムを具備することを特徴とする請求項２８に記載の光情報記録媒体システム。
【請求項３１】
高密度情報記録媒体に適した短波長光を出射する高密度用光学系と、
低密度情報記録媒体に適した長波長光を出射する低密度用光学系と、
前記高密度用光学系や低密度用光学系から入射された光を情報記録媒体にフォーカシングする対物レンズと、
再生信号及びフォーカスエラー信号を検出するように情報記録媒体から反射された短波長光及び長波長光を受光する単一光検出器と、
前記情報記録媒体から反射された短波長光及び長波長光を前記単一光検出器に適正サイズの光スポットとして受光させる検出レンズと、
前記対物レンズと前記単一光検出器との間の前記情報記録媒体から反射された前記短波長光及び前記第１長波長光及び第２長波長光の経路上に位置した第１コリメーティングレンズと、
前記単一光検出器に向かう短波長光及び第１長波長光及び第２長波長光の波長によって、前記第１コリメーティングレンズの位置を前記情報記録媒体から反射された前記短波長光及び第１長波長光及び第２長波長光の光路に沿って調整し、色収差によって発生するフォーカスエラー信号オフセットを減少させる駆動装置をを含む光ピックアップ。
【請求項３２】
前記高密度用光学系は、前記短波長光を出射する短波長光源を具備することを特徴とする請求項３１に記載の光ピックアップ。
【請求項３３】
前記低密度用光学系は、
互いに異なる厚さを有する第１低密度情報記録媒体及び第２低密度情報記録媒体に適した前記第１長波長光及び第２長波長光を出射する第１長波長光源及び第２長波長光源と、
前記第１長波長光源及び第２長波長光源から出射された前記第１長波長光及び第２長波長光を統合する光路統合器をと具備することを特徴とする請求項３１に記載の光ピックアップ。
【請求項３４】
前記高密度用光学系から出射された前記短波長光と、前記低密度用光学系から出射された前記第１長波長光及び第２長波長光との経路を変える第１光路変換器と、
前記短波長光を前記第１光路変換器に向かって進め、前記情報記録媒体から反射された前記短波長光及び第１長波長光及び第２長波長光が前記単一光検出器を向ける第２光路変換器とを具備することを特徴とする請求項３１に記載の光ピックアップ。
【発明の詳細な説明】
【技術分野】
【０００１】
本発明は、互換型光ピックアップ及びこれを採用した情報記録媒体システムに係り、さらに詳細には、互いに異なる波長の光を出射する複数の光源と１つの受光素子とを具備する互換型光ピックアップ及びこれを採用した情報記録媒体システムに関する。
【背景技術】
【０００２】
レーザ光と対物レンズとによって集束された光スポットを利用し、情報記録媒体である光ディスクに／から任意の情報を記録／再生する光記録及び／または再生機器で、記録容量は、集光されるスポットのサイズによって決定される。集光スポットのサイズは、使用するレーザ光の波長λと対物レンズの開口数（ＮＡ：numerical  aperture）とによって、式（１）のように決定される。
【０００３】
集光スポット径λ／ＮＡ        （１）
従って、光ディスクの高密度化のために、光ディスクに結ばれる光スポットのサイズを縮めるためには、青色レーザのような短波長光源と、高い開口数の対物レンズとの採用が必須である。
【０００４】
現在、波長４０５ｎｍ近辺の光源及びＮＡ  ０．８５である対物レンズを使用し、厚さ（光入射面から情報保存面までの間隔であり、ここでは、保護層の厚さに該当する）が０．１ｍｍである光ディスクを使用する断面容量およそ２５ＧＢのブルーレイディスク（ＢＲ：blu-ray  disc）規格が提案されている。また、使用波長はＢＤと同一でありつつ、ＮＡ  ０．６５の対物レンズ、そして厚さ（光入射面から情報保存面までの間隔であり、ここでは、基板の厚さに該当する）が０．６ｍｍである光ディスクを使用する容量およそ１５ＧＢのＨＤ  ＤＶＤ（High  Definiton  ＤＶＤ）規格が提案されている。
【０００５】
このようなＢＤやＨＤ  ＤＶＤのような高密度光ディスクを記録再生するための光ピックアップ及びこれを採用する情報記録媒体システムは、一般的に、既存のＤＶＤやＣＤも互換採用できるように設けられる必要がある。
【０００６】
従って、高密度光ディスク用互換型光ピックアップは、ＢＤやＨＤＤＶＤのための青色光源だけではなく、ＤＶＤのための赤色光源及びＣＤのための赤外線光源を具備するように構成される。また、互換型光ピックアップは、情報記録媒体から反射された光を受光して再生信号及びサーボ信号を検出するために、光検出器を具備する。
【０００７】
互換型光ピックアップをコンパクトに構成するためには、受光素子の数を最小化する必要がある。例えば、互換型光ピックアップを互いに異なる波長の光を出射する３個の光源及び１つの受光素子を具備するように構成すれば、コンパクトな互換型光ピックアップ構成が可能になる。
【０００８】
ところで、互いに異なる波長の光を出射する複数の光源を具備する互換型光ピックアップで１つの受光素子を使用する場合、検出レンズ自体の色収差のために、検出レンズを通過して受光素子側に進む光の焦点距離が波長によって変わり、受光素子に受信される光スポットにデフォーカスが発生する。かようなデフォーカスによってフォーカスサーボ信号のオフセットが発生し、これによって、再生信号が劣化するという問題が生じる。
【発明の概要】
【発明が解決しようとする課題】
【０００９】
本発明は、前記のような点を勘案して案出されたものであり、複数の光源及び１つの受光素子を具備する構造でありつつ、受光素子側に進む光の波長による焦点距離変化によるデフォーカスを補正し、フォーカスサーボ信号オフセット発生を防止できる互換型光ピックアップ及びこれを採用した情報記録媒体システムを提供するところにその目的がある。
【課題を解決するための手段】
【００１０】
前記目的を達成するための本発明による互換型光ピックアップは、高密度情報記録媒体に適した短波長光を出射する短波長光源と、低密度情報記録媒体に適した長波長光を出射する低密度用光学系と、前記短波長光源や低密度用光学系から入射された光を情報記録媒体にフォーカシングする対物レンズと、再生信号及びフォーカスエラー信号を検出するように情報記録媒体から反射された短波長光及び長波長光を受光する単一光検出器と、前記情報記録媒体から反射された短波長光及び長波長光が前記単一光検出器に適正サイズの光スポットとして受光させる検出レンズと、前記対物レンズと前記単一光検出器との間の前記情報記録媒体から反射された光の経路上に位置した第１コリメーティングレンズと、前記単一光検出器に向かう光の波長によって、前記第１コリメーティングレンズの位置を光軸に沿って調整し、波長による色収差によって発生するフォーカスエラー信号オフセットを減少させる駆動装置とを含むことを特徴とする。
【００１１】
前記低密度用光学系は、厚さが互いに異なる第１低密度情報記録媒体及び第２低密度情報記録媒体に適した第１長波長光及び第２長波長光をそれぞれ出射する第１長波長光源及び第２長波長光源と、前記第１長波長光源及び第２長波光長光源から出射された第１長波長光及び第２長波長光の光路を統合する光路結合器とを含むことができる。
【００１２】
前記高密度情報記録媒体は、ＢＤ規格を満足な情報記録媒体及びＨＤ  ＤＶＤ規格を満足な情報記録媒体のうち少なくともいずれか一つであり、前記第１低密度情報記録媒体及び第２低密度情報記録媒体は、ＤＶＤ規格を満足する情報記録媒体及びＣＤ規格を満足する情報記録媒体であり、高密度情報記録媒体のための前記短波長光は青色光であり、低密度情報記録媒体のための前記第１長波長光及び第２長波長光は、赤色光及び赤外線光でありうる。
【００１３】
前記短波長光源と対物レンズとの間の光路上に、短波長光を０次及び一次で回折させ、０次回折光は、ＢＤ規格を満足する情報記録媒体に光スポットとして結ばれ、一次回折光は、ＨＤ  ＤＶＤ規格を満足する情報記録媒体に光スポットとして結ばれるようにするホログラム素子をさらに具備できる。
【００１４】
前記ホログラム素子は、前記短波長光は、０次及び一次で回折させ、前記長波長光は、直進透過させるように波長選択性を有するように形成されうる。
【００１５】
前記低密度用光学系と対物レンズとの間の光路上に、前記第１低密度情報記録媒体及び第２低密度情報記録媒体の適用時の球面収差補正のための補正素子をさらに具備できる。
【００１６】
前記補正素子は、第１低密度情報記録媒体及び第２低密度情報記録媒体の適用時、前記第１長波長光及び第２長波長光それぞれに対して適した球面収差補正がなされるように波長選択性を有することが望ましい。
【００１７】
前記高密度情報記録媒体は、ＢＤ規格を満足する情報記録媒体及びＨＤ  ＤＶＤ規格を満足する情報記録媒体のうち少なくともいずれか一つであり、前記低密度用光学系は、ＤＶＤ規格及びＣＤ規格のうちいずれか一つに適した長波長光を出射する長波長光源を具備できる。
【００１８】
前記短波長光源及び低密度用光学系から出射された光の進路を変換するための第１光路変換器と、前記短波長光源から出射された短波長光は、前記第１光路変換器側に進め、情報記録媒体から反射された短波長光及び長波長光は、前記単一光検出器側に進める第２光路変換器とをさらに具備できる。
【００１９】
前記第１光路変換器と対物レンズとの間の光路上に入射される光の偏光を変換させる波長板をさらに具備し、前記第１光路変換器は、前記長波長光は、偏光によって透過または反射させ、前記第２光路変換器側から前記対物レンズ側に進む短波長光を情報記録媒体から反射された後に同一光路に進める三色性プリズムを具備し、前記第２光路変換器は、前記短波長光は、偏光によって透過または反射させ、前記長波長光は、前記単一光検出器に向ける三色性プリズムを具備できる。
【００２０】
前記目的を達成するために本発明は、情報記録媒体の半径方向に移動可能に設けられ、情報記録媒体に記録された情報を再生したり情報を記録する光ピックアップ及び該光ピックアップを制御するための制御部を含む光情報記録媒体システムにおいて、前記光ピックアップは、前記の特徴点のうち少なくともいずれか一つを有する互換型光ピックアップを具備することを特徴とする。
【発明の効果】
【００２１】
本発明の互換型光ピックアップによれば、互いに異なる波長の複数の光源及び単一光検出器を具備する構造でありつつ、単一光検出器側に進む光の波長による焦点距離変化によるデフォーカスを、情報記録媒体から反射されて単一光検出器に進む光の経路上に位置したコリメーティングレンズの位置を調整して補正するので、受光部での色収差に起因したフォーカスサーボ信号オフセット発生を防止できる。
【００２２】
従って、互いに異なるフォーマットの複数種の情報記録媒体及びそれらをそれぞれ採用するときの使われる各波長の光に対して単一光検出器を利用しても良好なフォーカスエラー信号を検出し、良好なフォーカスサーボ作動が可能であり、良好な再生信号を検出できる。
【図面の簡単な説明】
【００２３】
【図１】本発明による互換型光ピックアップの一実施例であり、ＢＤやＨＤ  ＤＶＤのような高密度情報記録媒体、ＤＶＤ及びＣＤを互換採用できるように設けられた光学的構成図を概略的に示す図である。
【図２】図１で、第１コリメーティングレンズが良好なＢＤに対するフォーカスエラー信号を得ることができるフォーカスオフセットが０になる位置に置かれるとき、ＢＤに対して検出されるフォーカスエラー信号及び再生信号（ＲＦ信号：sum  signal）を示すグラフである。
【図３Ａ】図１で、第１コリメーティングレンズがＢＤに合わされている場合のＤＶＤに対して検出されたフォーカスエラー信号及び再生信号（ＲＦ信号：sum  signal）を示すグラフである。
【図３Ｂ】図１で、第１コリメーティングレンズがＢＤに合わされている場合のＣＤに対して検出されたフォーカスエラー信号及び再生信号（ＲＦ信号：sum  signal）を示すグラフである。
【図４Ａ】図１で、第１コリメーティングレンズの位置をそれぞれ「Ｐ１」、「Ｐ２」に調整した後のＤＶＤに対して検出されたフォーカスエラー信号及び再生信号（ＲＦ信号：sum  signal）を示す。
【図４Ｂ】図１で、第１コリメーティングレンズの位置をそれぞれ「Ｐ１」、「Ｐ２」に調整した後のＣＤに対して検出されたフォーカスエラー信号及び再生信号（ＲＦ信号：sum  signal）を示す。
【図５】本発明の他の実施例による互換型光ピックアップの光学的構成を概略的に示す図である。
【図６】本発明による互換型光ピックアップを適用した光情報記録媒体システムの構成を概略的に示した図である。
【発明を実施するための形態】
【００２４】
以下、添付された図面を参照しつつ、本発明の望ましい実施例による互換型光ピックアップ及びこれを採用した情報記録媒体システムについて詳細に説明する。本発明による互換型光ピックアップは、ＢＤ（blu-ray  disc）やＨＤ  ＤＶＤ（high  definition  digital  versatile  disc）のような高密度情報記録媒体に適した短波長の光を出射する短波長光源と、ＤＶＤ及び／またはＣＤ（compact  disc）のような低密度情報記録媒体に適した長波長の光を出射する長波長光源とを含む複数の光源を具備し、情報記録媒体から反射された短波長光及び長波長光を受光して再生信号及びフォーカスエラー信号を検出するために単一光検出器を使用する構成を有する。すなわち、ＤＶＤ及び／またはＣＤのような低密度情報記録媒体は、独立した送光部を利用し、ＢＤやＨＤ  ＤＶＤのような高密度情報記録媒体と受光部とを共同で使用するように構成される。また、ＢＤやＨＤ  ＤＶＤのような高密度情報記録媒体のための送光部は、１つの同じコリメーティングレンズを利用するようになっている。
【００２５】
図１は、本発明による互換型光ピックアップの一実施例であり、高密度情報記録媒体、ＤＶＤ及びＣＤを互換採用できるように設けられた光学的構成図を概略的に図示している。図１を参照するに、本発明の一実施例による互換型光ピックアップは、高密度情報記録媒体に適した短波長光１１ａを出射する短波長光源１１と、低密度情報記録媒体に適した長波長光５１ａを出射する低密度用光学系５０と、短波長光源１１または低密度用光学系５０から入射される光を情報記録媒体１０に集光させる対物レンズ３０と、再生信号及びフォーカスエラー信号を検出するように情報記録媒体１０から反射された短波長光１１ａ及び長波長光５１ａを受光する単一光検出器１８と、前記反射された短波長光１１ａ及び長波長光５１ａを単一光検出器１８に適正サイズの光スポットとして受光させる検出レンズ１７と、対物レンズ３０と単一光検出器１８との間の情報記録媒体１０から反射された光の経路上に位置した第１コリメーティングレンズ１４と、情報記録媒体１０に照射される光の波長によって第１コリメーティングレンズ１４の位置を光軸に沿って調整する駆動装置２０とを含む。
【００２６】
また、本発明の一実施例による互換型光ピックアップは、短波長光源１１と、低密度用光学系５０から出射された光の進路を変換するための第１光路変換器１５と、短波長光源１１から出射された短波長光１１ａは、第１光路変換器１５側に進め、情報記録媒体１０から反射された短波長光１１ａと、第１長波長光５１ａ及び第２長波長光５３ａは、単一光検出器１８側に進める第２光路変換器１３とをさらに含むことができる。
【００２７】
前記高密度情報記録媒体は、ほぼ０．１ｍｍの厚さを有するＢＤ規格の情報記録媒体（以下、ＢＤ）、及びほぼ０．６ｍｍの厚さを有するＨＤ  ＤＶＤ規格の情報記録媒体（以下、ＨＤ  ＤＶＤ）のうち、少なくともいずれか一つを意味する。
【００２８】
短波長光源１１は、前記高密度情報記録媒体、すなわち、ＢＤやＨＤ  ＤＶＤに適した青色光を出射する。短波長光源１１としては、ほぼ４００ｎｍ近辺、さらに望ましくは、４０５ｎｍ波長の青色光を出射する半導体レーザを具備できる。
【００２９】
対物レンズ３０は、入射された光を情報記録媒体１０に集光させる。対物レンズ３０は、高密度情報記録媒体、例えば、ＢＤに最適化されるように形成されうる。すなわち、対物レンズ３０は、４００ｎｍ近辺の波長を有する光が入射されるとき、ほぼ０．８５の有効開口数で約０．１ｍｍ厚のＢＤに最適の光スポットを形成するように設計されうる。
【００３０】
代案として、本発明の一実施例による互換型光ピックアップは、ＨＤ  ＤＶＤと、低密度情報記録媒体であるＤＶＤ及びＣＤを互換採用するように設けられもするので、その場合には、対物レンズ３０は、４００ｎｍ近辺の波長を有する光が入射されるとき、ほぼ０．６５の有効開口数で約０．６ｍｍ厚のＨＤ  ＤＶＤに最適の光スポットを形成するように、ＨＤ  ＤＶＤに最適化されるように形成されうる。
【００３１】
低密度用光学系５０は、厚さが互いに異なる第１低密度情報記録媒体及び第２低密度情報記録媒体に適した第１長波長光５１ａ及び第２長波長光５３ａを出射する第１長波長光源５１及び第２長波長光源５３と、該第１長波長光源５１及び第２長波長光源５３から出射された第１長波長光５１ａ及び第２長波長光５３ａが同一光路に進むように光路を統合する光路結合器５５とを含んで構成されうる。また、低密度用光学系５０は、光路結合器５５と第１光路変換器１５との間の光路上に、第１長波長光源５１及び第２長波長光源５３から入射される第１長波長光５１ａ及び第２長波長光５３ａをコリメーティングする第２コリメーティングレンズ５９をさらに含むことができる。
【００３２】
前記第１低密度情報記録媒体は、ＤＶＤ規格を満足する情報記録媒体（以下、ＤＶＤ）、第２低密度情報記録媒体は、ＣＤ規格を満足する情報記録媒体（以下、ＣＤ）でありうる。この場合、前記第１長波長光源は、赤色光、例えば、ほぼ６５０ｎｍ波長の赤色光を出射するように設けられうる。また、前記第２長波長光源は、赤外線光、例えば、ほぼ７８０ｎｍ波長の赤外線光を出射するように設けられうる。すなわち、第１長波長光５１ａは、ＤＶＤに適した赤色光、第２長波長光５３ａは、ＣＤに適した赤外線光になりうる。
【００３３】
光路結合器５５は、例えば、第１長波長光源５１から出射された第１長波長光は透過させ、第２長波長光源５３から出射された第２長波長光は反射させ、第１長波長光５１ａ及び第２長波長光５３ａを同一光路に進める二色プリズム（dichroic  prism）でありうる。
【００３４】
一方、本発明の一実施例による互換型光ピックアップは、低密度用光学系５０と対物レンズ３０との間、さらに望ましくは、第１光路変換器１５と対物レンズ３０との間の光路上に、ＤＶＤ及びＣＤ適用時の球面収差補正のための補正素子２７をさらに具備することが望ましい。
【００３５】
該補正素子２７は、ＤＶＤ及びＣＤ適用時に、第１長波長光５１ａ及び第２長波長光５３ａそれぞれに対して適した球面収差補正がなされるように、波長選択性を有することが望ましい。すなわち、補正素子２７は、ＤＶＤ適用時には、第１長波長光５１ａに対して適切な球面収差補正がなされ、ＣＤ適用時には、第２長波長光５３ａに対して適切な球面収差補正がなされうるように設けられたことが望ましい。併せて、補正素子２７は、短波長光１１ａに対しては、そのまま直進透過させるように設けられたことが望ましい。
【００３６】
補正素子２７としては、前記のような波長選択性を有し、ＤＶＤ及びＣＤ適用時に球面収差補正がなされるように設けられたホログラム素子を使用できる。
【００３７】
一方、第１光路変換器１５及び第２光路変換器１３としては、三色性プリズムを具備できる。
【００３８】
図１では、第１光路変換器１５と対物レンズ３０との間の光路上に入射される光の偏光を変化させる波長板２５、例えば、１／４波長板を具備する場合を示している。
【００３９】
このように波長板２５を具備する場合、第１光路変換器１５として使われる三色性プリズムは、第１長波長光５１ａ及び第２長波長光５３ａは、偏光によって透過または反射させ、第２光路変換器１３側から対物レンズ３０側に進む短波長光１１ａが情報記録媒体１０から反射された後に、同一光路で第２光路変換器１３側に進むように設けられたことが望ましい。すなわち、第１光路変換器１５として、第１長波長光５１ａ及び第２長波長光５３ａに対しては偏光ビームスプリッタとして作用し、短波長光１１ａは、例えば、無条件反射させる三色プリズムを使用できる。
【００４０】
また、波長板２５を具備する場合、第２光路変換器１３は、短波長光１１ａは、偏光によって透過または反射させ、第１長波長光５１ａ及び第２長波長光５３ａは、例えば、反射させ、単一光検出器１８に進めるように設けられたことが望ましい。すなわち、第２光路変換器１３として、短波長光１１ａに対しては偏光ビームスプリッタとして作用し、長波長光は、例えば、無条件反射させる三色プリズムを使用できる。
【００４１】
代案として、本発明の一実施例による互換型光ピックアップは、波長板２５を具備しないこともある。波長板２５を具備しない場合、第１光路変換器１５として使われる三色性プリズムは、第１長波長光５１ａ及び第２長波長光５３ａは、所定割合で透過及び反射させ、第２光路変換器１３側から対物レンズ３０側に進む短波長光１１ａが情報記録媒体１０から反射された後に、同一光路で第２光路変換器１３側に進むように設けられたことが望ましい。すなわち、第１光路変換器１５とし、第１長波長光５１ａ及び第２長波長光５３ａに対しては一般的なビームスプリッタとして作用し、短波長光１１ａは、例えば、無条件反射させる三色プリズムを使用できる。
【００４２】
また、波長板２５を具備しない場合、第２光路変換器１３は、短波長光１１ａは、所定割合で透過及び反射させ、第１長波長光５１ａ及び第２長波長光５３ａは、例えば、反射させ、単一光検出器１８に進めるように設けられたことが望ましい。すなわち、第２光路変換器１３として、短波長光１１ａに対しては一般的なビームスプリッタとして作用し、長波長光は、例えば、無条件反射させる三色プリズムを使用できる。
【００４３】
ここで、波長板２５を具備しない場合の実施例については、図１及び前記の説明から十分に類推できるので、この場合の実施例に係る図示は省略する。
【００４４】
単一光検出器１８は、再生信号及びサーボ信号、例えば、フォーカスエラー信号を検出するように、情報記録媒体１０から反射された短波長光１１ａ、第１長波長光５１ａ及び第２長波長光５３ａを受光する。該単一光検出器１８は、例えば、非点収差法によってフォーカスエラー信号を検出するように四分割構造の受光領域を具備できる。
【００４５】
検出レンズ１７は、単一光検出器１８の前方、すなわち、第２光路変換器１３と単一光検出器１８との間の光路上に配されうる。該検出レンズ１７としては、非点収差法によってフォーカスエラー信号検出を可能にするシリンダレンズを具備できる。
【００４６】
本発明による互換型光ピックアップにおいて、受光光学系、すなわち、第１コリメーティングレンズ１４、第２光路変換器１３、検出レンズ１７及び単一光検出器１８が高密度情報記録媒体から反射され、単一光検出器１８に受光される短波長光１１ａに対して最適化されていると仮定する。この場合、ＤＶＤ適用時、該ＤＶＤから反射されて単一光検出器１８に受光される第１長波長光５１ａや、ＣＤ適用時、該ＣＤから反射されて単一光検出器１８に受光される第２長波長光５３ａは、検出レンズ１７などで発生する色収差に起因してデフォーカスされ、これによって、フォーカスエラー信号にオフセットが発生する。かような色収差に起因したフォーカスオフセットは、第１コリメーティングレンズ１４の位置を、適用される情報記録媒体の種類及び使用波長によって調整して除去される。
【００４７】
第１コリメーティングレンズ１４は、対物レンズ３０と単一光検出器１８との間、さらに望ましくは、第１光路変換器１５と第２光路変換器１３との間の情報記録媒体１０から反射された短波長光１１ａ及び長波長光５１ａの経路上に位置する。該第１コリメーティングレンズ１４は、短波長光源１１側から入射される短波長光１１ａは、コリメーティングして平行光として対物レンズ３０側に進める。また、第１コリメーティングレンズ１４は、情報記録媒体１０から反射された光の波長によってその位置が駆動装置２０によって調整され、検出レンズ１７を通過した光がデフォーカスなしに単一光検出器１８に受光される。
【００４８】
駆動装置２０は、単一光検出器１８に向かう光の波長によって、第１コリメーティングレンズ１４の位置を光軸に沿って調整して、色収差によって発生するフォーカスエラー信号オフセットを減少させる。
【００４９】
駆動装置２０は、第１コリメーティングレンズ１４の位置を光軸に沿って移動させるためのアクチュエータ２１と、該アクチュエータ２１を駆動させ、光の波長によって、第１コリメーティングレンズ１４の位置が変動されるように制御し、波長による色収差によって、単一光検出器１８で発生するフォーカスエラー信号オフセットを減少させる制御部２３とを含んで構成されうる。
【００５０】
前記の通りに、第１コリメーティングレンズ１４及び検出レンズ１７は、短波長光１１ａを単一光検出器１８上に最適に受光させるように光学的に配され、採用される情報記録媒体の種類及び該情報記録媒体に照射される光の波長によって、駆動装置２０によって第１コリメーティングレンズ１４の位置が調整される。
【００５１】
ＢＤまたはＨＤ  ＤＶＤのような高密度情報記録媒体、ＤＶＤ及びＣＤ記録／再生時の色収差に起因したフォーカスエラー信号オフセットが除去されうる第１コリメーティングレンズ１４の最適位置をそれぞれ、図１に図示されているように、「Ｐ０：ＢＤまたはＨＤ  ＤＶＤのためのＣＬ位置」、「Ｐ１：ＤＶＤのためのＣＬ位置」及び「Ｐ２：ＣＤのためのＣＬ位置」とする。
【００５２】
以下では、図１、図２ないし図４Ｂを参照して、高密度情報記録媒体（ＢＤまたはＨＤＤＶＤ）、ＤＶＤ、ＣＤ採用時の本発明の一実施例による互換型光ピックアップの動作、及びこれによるフォーカスエラー信号及び再生信号検出について説明する。
【００５３】
情報記録媒体１０として、例えば、ＢＤが採用され、短波長光源１１から短波長光１１ａが出射されるように動作される場合、第１コリメーティングレンズ１４は、「Ｐ０」に位置した状態で維持される。
【００５４】
短波長光源１１から出射された短波長光１１ａは、第２光路変換器１３を透過して第１コリメーティングレンズ１４によって平行光になり、第１光路変換器１５から反射された後、波長板２５を通過して対物レンズ３０に入射される。この入射される短波長光１１ａは、対物レンズ３０によって情報記録媒体１０、例えば、ＢＤに集光される。ＢＤから反射された短波長光１１ａは、さらに対物レンズ３０を透過して平行光になり、波長板２５を通過しつつ、入射光と直交する偏光になる。該短波長光１１ａは、第１光路変換器１５から反射され、第１コリメーティングレンズ１４によって収斂される。この収斂される短波長光１１ａは、第２光路変換器１３から反射され、検出レンズ１７によってさらに収斂されて単一光検出器１８に受光される。該単一光検出器１８の検出信号から再生信号及びサーボ信号が得られる。
【００５５】
このとき、第１コリメーティングレンズ１４は、良好なＢＤに対するフォーカスエラー信号を得ることができるフォーカスオフセットが０になる「Ｐ０」位置に置かれる。図２は、このときのＢＤに対して検出されるフォーカスエラー信号（focus  error  signal）及び再生信号（ＲＦ信号：sum  signal）を示す。図２から分かるように、ＢＤに対するフォーカスエラー信号オフセットがほぼ０になることが分かり、これによって、フォーカスサーボ作動が容易になり、良好な再生信号を検出できる。
【００５６】
情報記録媒体１０としてＤＶＤが採用され、第１長波長光源５１から第１長波長光５１ａが出射されるように動作される場合、第１コリメーティングレンズ１４は、駆動装置２０によって制御され、「Ｐ１」位置に移動する。
【００５７】
また、情報記録媒体１０としてＣＤが採用され、第２長波長光源５３から第２長波長光源が出射されるように動作される場合、第２コリメーティングレンズ１４は、駆動装置２０によって制御され、「Ｐ２」位置に移動する。
【００５８】
ＤＶＤまたはＣＤの採用時、第１長波長光源５１または第２長波長光源５３から出射された第１長波長光５１ａまたは第２長波長光５３ａは、光路結合器５５で透過または反射され、第２コリメーティングレンズ５９に入射される。該第１長波長光５１ａまたは第２長波長光５３ａは、第２コリメーティングレンズ５９によって平行光になり、第１光路変換器１５を透過し、波長板２５及び補正素子２７を順に通過して対物レンズ３０に入射され、対物レンズ３０によってＤＶＤまたはＣＤにフォーカシングされる。
【００５９】
ＤＶＤまたはＣＤから反射された第１長波長光５１ａまたは第２長波長光５３ａは、さらに対物レンズ３０を透過して平行光になり、波長板２５を通過しつつ、入射光と直交する偏光になる。該第１長波長光５１ａまたは第２長波長光５３ａは、第１光路変換器１５で反射され、第１コリメーティングレンズ１４によって収斂される。該収斂される第１長波長光５１ａまたは第２長波長光５３ａは、第２光路変換器１３で反射され、検出レンズ１７によってさらに収斂されて単一光検出器１８に受光される。該単一光検出器１８の検出信号からＤＶＤまたはＣＤに対する再生信号及びサーボ信号が得られる。
【００６０】
ＢＤ（またはＨＤ  ＤＶＤ）／ＤＶＤ／ＣＤの採用時、あらゆる光が同じ受光部上の第１コリメーティングレンズ１４と検出レンズ１７とを使用するために、第１コリメーティングレンズ１４と検出レンズ１７との位置が固定された場合、波長によって焦点距離が変わることに起因してデフォーカスが招来され、フォーカスエラー信号にオフセットが発生する。
【００６１】
第１コリメーティングレンズ１４がＢＤ（またはＨＤ  ＤＶＤ）に対して良好なフォーカスエラー信号を得るために、フォーカスオフセットが０になる位置に置かれれば、ＤＶＤ採用時に、フォーカスエラー信号には、０．３μｍ、ＣＤ採用時に、フォーカスエラー信号には、０．２μｍオフセットが発生する。
【００６２】
図３Ａ及び図３Ｂは、第１コリメーティングレンズ１４がＢＤに合わされている場合のＤＶＤ及びＣＤに対して検出されたフォーカスエラー信号（focus  error  signal）及び再生信号（ＲＦ信号：sum  signal）を示している。
【００６３】
フォーカスオフセットが発生すれば、デフォーカスが発生した状態でフォーカシングされるので、これによって、再生信号も劣化されうる。
【００６４】
かような色収差に起因して発生するフォーカスオフセットは、本発明でのように、第１コリメーティングレンズ１４を駆動装置２０で駆動して位置を調整することによって、補正が可能である。
【００６５】
図４Ａ及び図４Ｂは、第１コリメーティングレンズ１４の位置をそれぞれ「Ｐ１」、「Ｐ２」に調整した後のＤＶＤ及びＣＤに対して検出されたフォーカスエラー信号（focus  error  signal）及び再生信号（ＲＦ信号：sum  signal）を示している。
【００６６】
図４Ａ及び図４Ｂから分かるように、第１コリメーティングレンズ１４の位置を調整すれば、ＤＶＤ及びＣＤに対するフォーカスオフセットが補正されうることが分かる。このとき、図４Ａの結果を得るためのＤＶＤのための第１コリメーティングレンズ１４の調整長、すなわち、「Ｐ０」位置から「Ｐ１」位置までの間隔は、およそ２３μｍであった。図４Ｂの結果を得るためのＣＤのための第１コリメーティングレンズ１４の調整長、すなわち、「Ｐ０」位置から「Ｐ２」位置までの間隔は、およそ６０μｍであった。
【００６７】
前記の通りに、駆動装置２０によって受光部の光路上に位置する第１コリメーティングレンズ１４の位置を調整すれば、短波長光１１ａ及び長波長光５１ａを単一光検出器１８を利用して検出する場合にも、波長によって焦点距離が変わってデフォーカスが発生することによって招来されるＣＤ／ＤＶＤフォーカスエラー信号のオフセットが防止され、ＢＤ（またはＨＤ  ＤＶＤ）、ＤＶＤ、ＣＤのための互いに異なる３波長の光に対して良好なフォーカスエラー信号を検出し、良好なフォーカスサーボ動作が可能になり、これによって、良好な再生信号を検出できるようになる。
【００６８】
本発明による互換型光ピックアップがＢＤ及びＨＤ  ＤＶＤのうち、いずれか１つの高密度情報記録媒体と、ＤＶＤ及びＣＤを互換採用するようになった場合について説明したが、本発明による互換型光ピックアップは、図５のように、ＢＤ及びＨＤ  ＤＶＤ、ＤＶＤ及びＣＤをいずれも互換採用するように設けられもする。
【００６９】
図５は、本発明の他の実施例による互換型光ピックアップの光学的構成を概略的に示したものであり、図１の本発明の一実施例による互換型光ピックアップと比較するとき、短波長光源１１と対物レンズ３０との間の光路上に、ＢＤ及びＨＤ  ＤＶＤ互換のためのホログラム素子２９をさらに具備する点にその特徴がある。ここで、図１と実質的に同じ部材は同一参照符号で示し、その反復的な説明を省略する。
【００７０】
ホログラム素子２９は、短波長光１１ａを０次及び一次で回折させ、０次回折光は、ＢＤに光スポットとして結ばれ、一次回折光は、ＨＤ  ＤＶＤに光スポットとして結ばれるようにできる。
【００７１】
ホログラム素子２９は、図５に図示されているように、第１光路変換器１５と対物レンズ３０との間に配されうる。この場合には、第１長波長光５１ａ及び第２長波長光５３ａも、ホログラム素子２９を通過するようになるので、ホログラム素子２９は、短波長光１１ａは、０次及び一次で回折させつつ、第１長波長光５１ａ及び第２長波長光５３ａは、そのまま直進透過させるように、波長選択性を有するように形成されることが望ましい。
【００７２】
一方、以上では、図１及び図５に図示されているように、本発明による互換型光ピックアップが低密度用光学系５０に、ＤＶＤ用長波長光源とＣＤ用長波長光源とをいずれも具備すると説明したが、本発明がこれに限定されるものではない。本発明による互換型光ピックアップにおいて、低密度用光学系５０は、ＤＶＤ規格及びＣＤ規格のうち、いずれか一つに適した長波長光を出射する１つの長波長光源だけを具備するように構成されうる。例えば、低密度用光学系５０は、図１及び図５で、光路結合器５５と第２長波長光源５３とを除去した構造を有することも可能である。
【００７３】
図６は、本発明による互換型光ピックアップを適用した光情報記録媒体システムの構成を概略的に示した図である。
【００７４】
図６を参照するに、光情報記録媒体システムは、情報記録媒体１０を回転させるためのスピンドルモータ３１２と、情報記録媒体１０の半径方向に移動可能に設けられ、情報記録媒体１０に記録された情報を再生及び／または情報を記録する光ピックアップ３００と、スピンドルモータ３１２と光ピックアップ３００とを駆動するための駆動部３０７と、光ピックアップ３００のフォーカス、トラックキング及び／またはチルトのサーボを制御するための制御部３０９とを含む。ここで、参照番号３５２はターンテーブル、３５３は情報記録媒体１０をチャッキングするためのクランプを示す。
【００７５】
光ピックアップ３００としては、前述のような本発明の実施例による互換型光ピックアップのうちいずれか一つを適用する。
【００７６】
情報記録媒体１０から反射された光は、光ピックアップ３００に設けられた単一光検出器１８を介して検出され、光電変換されて電気的信号に変わり、該電気的信号は、駆動部３０７を介して制御部３０９に入力される。駆動部３０７は、スピンドルモータ３１２の回転速度を制御し、入力された信号を増幅させ、光ピックアップ３００を駆動する。制御部３０９は、駆動部３０７から入力された信号を基に調節されたフォーカスサーボ、トラックキングサーボ及び／またはチルトのサーボ命令をさらに駆動部３０７に送り、光ピックアップ３００のフォーカシング、トラックキング及び／またはチルトの動作を具現させる。本発明による互換型光ピックアップを採用した光情報記録媒体システムは、ＢＤ及びＨＤ  ＤＶＤのうち、少なくともいずれか一つと、ＤＶＤ及びＣＤのうち、少なくともいずれか一つとを互換採用できる。
【００７７】
前記のような本発明の互換型光ピックアップによれば、互いに異なる波長の複数の光源及び単一光検出器を具備する構造でありつつ、単一光検出器側に進む光の波長による焦点距離変化によるデフォーカスを、情報記録媒体から反射されて単一光検出器に進む光の経路上に位置したコリメーティングレンズの位置を調整して補正するので、受光部での色収差に起因したフォーカスサーボ信号オフセット発生を防止できる。
【００７８】
従って、互いに異なるフォーマットの複数種の情報記録媒体及びこれをそれぞれ採用するときの使われる各波長の光に対して単一光検出器を利用しても、良好なフォーカスエラー信号を検出して良好なフォーカスサーボ作動が可能であり、良好な再生信号を検出できる。
【００７９】
本発明のいくつかの実施例が図示されて説明されたとしても、本発明の原理及び思想から外れることなしにそれら実施例が変形されうるということは、当業者には明白であり、本発明の範囲は、特許請求の範囲及びその均等な範囲によって決まるものである。
【図１】
2010519671.tif 000003
【図２】
2010519671.tif 000004
【図３Ａ】
2010519671.tif 000005
【図３Ｂ】
2010519671.tif 000006
【図４Ａ】
2010519671.tif 000007
【図４Ｂ】
2010519671.tif 000008
【図５】
2010519671.tif 000009
【図６】
2010519671.tif 000010
【国際調査報告】
2010519671.tif 000011
2010519671.tif 000012